(57)【特許請求の範囲】
【請求項１】
保管庫本体の下部前面板の裏側に該前面板と対向する固定壁を設け、一端部で開閉扉の一側縁部の下部を枢支する下蝶番部材の他端部にねじ通孔を有する取付片部を折曲形成し、該ねじ通孔に通した止めねじとナット材で該取付片部を固定壁の前面に着脱可能に固定し、前記下部前面板には取付片部の出し入れおよびそのねじ止め作業に必要な大きさを有する開口部を設け、該開口部には下蝶番部材が固定壁に取り付けられた状態で開口部の開放部分を閉塞するキャップを着脱自在に装着したことを特徴とする保管庫。
【請求項２】
下部前面板が保管庫本体の左右一対の側面板の下部内側に配設された底板の前端から下方に折曲形成されており、下蝶番部材の前記一端部は側面板の前方で開閉扉の一側縁部の下部を枢支していることを特徴とする請求項１記載の保管庫。
【請求項３】
固定壁が底板の下面に固設される前下補強板の一部をなすことを特徴とする請求項２記載の保管庫。
【請求項４】
固定壁には止めねじを通す通孔が貫通形成され、固定壁の背面にナット材が固設されていることを特徴とする請求項１記載の保管庫。
【請求項５】
固定壁に係合穴が形成され、下蝶番部材の取付片部にはこの係合穴に係合する突起片が設けられていることを特徴とする請求項１記載の保管庫。
【発明の詳細な説明】
【０００１】
【産業上の利用分野】
本発明は保管庫に関し、更に詳しくは、保管庫本体の前面に開閉扉の一側縁部を回動可能に枢支した保管庫に関する。
【０００２】
【従来の技術】
保管庫本体の前面に開閉扉の一側縁部を回動可能に枢支した保管庫が用いられている。図５および図６は従来のこの種の保管庫の扉支持構造を例示したものである。図５を参照すると、保管庫本体１の天板２の下側前面部の内側には横方向に延びる前上補強板３が固着されており、開閉扉４の一側縁部の上部を枢支する上蝶番部材５は一端に下向きの枢支ピン６を有し、この上蝶番部材５の他端部は保管庫本体１の天板２の前面に開設された通孔７から前上補強板３の取付面に沿って天板２の内方に挿入され、天板４と前上補強板３と上蝶番部材５とが図中符号Ａの箇所でスポット溶接により互いに固着されている。一方、図５および図６を参照すると、保管庫本体１の底板８の前面部の内側には横方向に延びる前下補強板９が固着されており、開閉扉４の一側縁部の下部を枢支する下蝶番部材１０は一端に上向きの枢支ピン１１を有し、この下蝶番部材１０の他端部は保管庫本体１の底板８の前面に開設された通孔１２から前下補強板９の取付面に沿って底板８の内方に挿入され、底板８の下方から挿入されるねじ１３で前下補強板９にねじ止めされる構成となっている。
【０００３】
【発明が解決しようとする課題】
上述した従来構造の保管庫においては、開閉扉４を保管庫本体１に組み付けるとき、或いは、保管庫本体１に組み付けられた開閉扉４を修理、交換等のために保管庫本体１から取り外す場合に、下蝶番部材１０を前下補強板９に止めるねじ１３を着脱する必要があり、そのためには、図６に示すように、保管庫本体１を後方に傾ける必要があるので、作業が面倒となっていた。特に、保管庫本体１内に物品が収納されている場合には大きな労力を要することとなっていた。
【０００４】
したがって、本発明の目的は、保管庫本体の美観を損ねることなく、開閉扉の一側縁部の下部を枢支する下蝶番部材を保管庫本体の前方から簡単に着脱することができる保管庫を提供することにある。
【０００５】
【課題を解決するための手段】
上記課題を解決するために、請求項１記載の発明は、保管庫本体の下部前面板の裏側に該前面板と対向する固定壁を設け、一端部で開閉扉の一側縁部の下部を枢支する下蝶番部材の他端部にねじ通孔を有する取付片部を折曲形成し、該ねじ通孔に通した止めねじとナット材で該取付片部を固定壁の前面に着脱可能に固定し、前記下部前面板には取付片部の出し入れおよびそのねじ止め作業に必要な大きさを有する開口部を設け、該開口部には下蝶番部材が固定壁に取り付けられた状態で開口部の開放部分を閉塞するキャップを着脱自在に装着したことを特徴とする。
【０００６】
請求項２記載の発明は、請求項１記載の保管庫において、下部前面板が保管庫本体の左右一対の側面板の下部内側に配設された底板の前端から下方に折曲形成されており、下蝶番部材の前記一端部は側面板の前方で開閉扉の一側縁部の下部を枢支していることを特徴とする。
【０００７】
請求項３記載の発明は、請求項２記載の保管庫において、固定壁が底板の下面に固設される前下補強板の一部をなすことを特徴とする。
【０００８】
請求項４記載の発明は、請求項１記載の保管庫において、固定壁には止めねじを通す通孔が貫通形成され、固定壁の背面にナット材が固設されていることを特徴とする。
【０００９】
請求項５記載の発明は、請求項１記載の保管庫において、固定壁に係合穴が形成され、下蝶番部材の取付片部にはこの係合穴に係合する突起片が設けられていることを特徴とする。
【００１０】
【作用】
請求項１記載の保管庫においては、下蝶番部材の取付片部を保管庫本体の下部前面板に形成した開口部を介して出し入れすることができるとともに、下蝶番部材の取付片部を下部前面板の裏側の固定壁の前面に止めねじとナット材で着脱可能に締結固定することができる。したがって、開閉扉を着脱するための下蝶番部材の着脱作業を保管庫本体の前面側で簡単迅速に行なうことができる。また、下蝶番部材の取付片部の出し入れおよびそのねじ止め作業に必要な大きさを有する下部前面板の開口部にはその開放部分を閉塞できるキャップが着脱自在に装着されるので、前面側の美観が損なわれることを防止できる。
【００１１】
請求項２記載の保管庫においては、下部前面板が保管庫本体の左右一対の側面板の下部内側に配設された底板の前端から下方に折曲形成されており、下蝶番部材の前記一端部は側面板の前方で開閉扉の一側縁部の下部を枢支しているので、開閉扉を開いたときに開閉扉の一側縁部の内側にキャップが位置することとなる。したがって、開閉扉に邪魔されることなくキャップおよび下蝶番部材の着脱作業を容易に行うことができる。
【００１２】
請求項３記載の保管庫においては、固定壁が底板の下面に固設される前下補強板の一部をなすので、前下補強板の有効利用により、部品の増加を防止しつつ請求項１記載の発明構成を実現することができる。
【００１３】
請求項４記載の保管庫においては、固定壁には止めねじを通す通孔が貫通形成され、固定壁の背面にナット材が固設されているので、止めねじを下部前面板の開口部の前方から挿入することにより、下蝶番部材の取付片部をねじ止めすることができる。そしてこの場合、止めねじの長さの制限がなく、比較的長いものを用いることが可能であるので、ナット材への止めねじの螺合作業を容易に行うことができる。
【００１４】
請求項５記載の保管庫においては、固定壁に係合穴が形成され、下蝶番部材の取付片部にはこの係合穴に係合する突起片が設けられているので、下蝶番部材をねじ止めする際の位置合わせが容易になり、ねじ止めの作業性が向上する。
【００１５】
【実施例】
以下、図面を参照して本発明の実施例につき説明する。
【００１６】
図１から図４までは本発明の一実施例を示したものである。これらの図を参照すると、保管庫本体２１は左右一対の側面板２２の上端部の内側に図示しない天板を有し、側面板２２の下端の内側に底板２３を有するものとなっている。そして、両開き式の一対の開閉扉２４，２５（図２参照）の一側縁部の上部と下部をそれぞれ上蝶番部材（図示せず）と下蝶番部材２６とにより回動自在に枢支するものとなっている。なお、上蝶番部材の取付構造としては例えば図５に示す従来構造を適用することができるが、本発明の要旨とは関係ないので、詳細な説明は省略する。
【００１７】
図１および図４に示すように、底板２３はその前端から下方に折曲形成された下部前面板２７と、この下部前面板２７の下端から後方に折曲形成された後方折曲縁２８と、この後方折曲縁２８の後端から上方に折曲形成された上方折曲縁２９とを一体に有している。そして、底板２３の下側には底板２３と下部前面板２７との間を補強する前下補強板３０が底板２３と後方折曲縁２８とに固着されて設けられており、この前下補強板３０の一部が下部前面板２７の裏側に間隔を隔てて位置して該前面板２７と対向する固定壁３１を構成している。
【００１８】
一方、下蝶番部材２６の一端部には開閉扉２５の一側縁部の下部を枢支する枢支ピン３２が上向きに突設されており、下蝶番部材２６の他端部には止めねじ３５のねじ部をすねじ通孔３４を有する取付片部３３が折曲形成されている。また、固定壁３１には止めねじ３５のねじ部を通す通孔３６が貫通形成され、固定壁３１の背面にはナット材３７が固設されている。そして、下蝶番部材２６の取付片部３３はワッシャ３８を介して止めねじ３５とナット材３７により固定壁３１の前面に着脱可能に締結固定されている。なお、このとき、図３に示すように、下蝶番部材２６の一端部の枢支ピン３２は側面板２２の前方に位置しているので、側面板２２の前方で開閉扉２５の一側縁部の下部を枢支することができる。
【００１９】
さらに、下部前面板２７には下蝶番部材２６の取付片部３３の出し入れおよびそのねじ止め作業に必要な大きさを有する略矩形の開口部３９が開設されており、、この開口部３９には下蝶番部材２６が固定壁３１に取り付けられた状態で開口部３９の開放部分を閉塞するキャップ４０が着脱自在に装着されている。このキャップ４０は例えば樹脂からなり、その背面に突設されている係合片を開口部３９の開口縁に弾接係止させることができるものである。
【００２０】
さらに、固定壁３１には係合穴４１が形成され、下蝶番部材２６の取付片部３３の上端にはこの係合穴４１に係合する突起片４２が後方に折曲形成されている。
【００２１】
なお、図２に示すように、一方（図示の例では右側）の開閉扉２５の内側にはラッチ板４３を固設した鍵棒４４が回動可能に縦設されており、保管庫本体２１の下部前面板２７の中央近傍に形成された取付穴４５にはラッチ板４３と係合する係合部材４６が装着されている。ラッチ板４３をこの係合部材４６に係止させることにより、開閉扉２５を閉位置に係止することができる。また、この係合部材４５を樹脂で形成することにより、開閉扉２５を閉めたときの衝突緩衝作用をもたせることができる。
【００２２】
以上、一方の開閉扉２５の下部枢支構造につき説明したが、他方の開閉扉２４の下部枢支構造も左右対称に同様の構造とすることができる。
【００２３】
上記構成を有する保管庫においては、下蝶番部材２６の取付片部３３を保管庫本体２１の下部前面板２７に形成した開口部３９を介して出し入れすることができるとともに、下蝶番部材２６の取付片部３３を下部前面板２７の裏側の固定壁３１の前面に止めねじ３５とナット材３７で着脱可能に締結固定することができる。したがって、開閉扉２５を着脱するための下蝶番部材２６の着脱作業は保管庫本体２１の前面側で簡単迅速に行なうことができ、従来のように保管庫本体２１を後方に傾ける必要がないので、労力を大幅に軽減することができる。また、下蝶番部材２６の取付片部の出し入れおよびそのねじ止め作業に必要な大きさを有する下部前面板２７の開口部３９にはその開放部分を閉塞できるキャップ４０が着脱自在に装着されるので、保管庫本体２１の前面側の美観が損なわれることを防止できる。
【００２４】
さらに、上記構成の保管庫においては、開閉扉２５を開いたときに開閉扉２５の一側縁部の内側にキャップ４０が位置することとなるので、開閉扉２５に邪魔されることなくキャップ４０および下蝶番部材２６の着脱作業を容易に行うことができる。
【００２５】
また、固定壁３１が底板２３の下面に固設される前下補強板３０の一部をなすので、前下補強板の有効利用により、固定壁３１のための別部品の増加を防止することができる。
【００２６】
なお、固定壁３１には止めねじを固設してもよいが、その場合固定壁３１の前方に止めねじのねじ部先端を突出させることができる長さに制限があるので、ナット材の螺合作業が面倒になる。これに対し、上記実施例の如く、固定壁３１の背面にナット材３７を固設すると、止めねじ３５の長さの制限がなく、比較的長いものを用いることが可能となるので、ナット材３７への止めねじの螺合作業を容易に行うことができる。
【００２７】
さらに、上記実施例では、固定壁３１に形成した係合穴４１に下蝶番部材２６の取付片部３３に設けた突起片４２を係合させることができるので、下蝶番部材２６をねじ止めする際の位置合わせが容易になり、ねじ止めの作業性が向上する。
【００２８】
以上、本発明の好ましい実施例につき説明したが、本発明は上記実施例の態様のみに限定されるものではなく、例えば次のような種々の変更が可能である。
【００２９】
▲１▼  下部前面板２７を底板２３の前端から下方に折曲形成し、固定壁３１はこの下部前面板２７の下端より後方に折曲形成した後方折曲縁２８の後端から上方に折曲形成してもよい。この場合、固定壁３１を前下補強板の一部として該前下補強板を底板２３と一体に形成することができるので、部品数を一層低減しつつ所期の目的を達成することができる。
【００３０】
▲２▼  上述したように、止めねじ３５を固定壁３１に固設しそのねじ部先端を固定壁３１の前方に突出にさせても本発明の所期目的を達成することができる。
【００３１】
▲３▼  下蝶番部材２６の一端部に突設する枢支ピン３２は下向きに突設されていてもよい。また、枢支ピンは開閉扉側に設け、下蝶番部材２６にはその枢支ピンが係合する枢支穴を開設してもよい。
【００３２】
▲４▼  上記実施例では取付片部３３が下蝶番部材２６の他端部から上方に折曲形成されているが、取付片部３３は下蝶番部材２６の他端部から下方又は左右側方に折曲形成されていてもよい。この場合、取付片部３３の位置および形状に対応して下部前面板２７の開口部３９の形状を設定すればよい。
【００３３】
▲５▼  上記実施例では底板２３の前端より下方に折曲形成した下部前面板２７に開口部３９を形成したが、側面板が比較的大きな前面部幅を有するときは、下部前面板を側面板の前面部にて構成し、開口部を形成してもよい。
【００３４】
▲６▼  本発明の保管庫は両開き式の開閉扉を有するものに限定されず、片開き式の１枚の開閉扉を有する保管庫にも同様に適用できる。
【００３５】
【発明の効果】
以上の説明から明らかなように、本発明は、保管庫本体の下部前面板の裏側に該前面板と対向する固定壁を設け、一端部で開閉扉の一側縁部の下部を枢支する下蝶番部材の他端部にねじ通孔を有する取付片部を折曲形成し、該ねじ通孔に通した止めねじとナット材で該取付片部を固定壁の前面に着脱可能に固定し、前記下部前面板には取付片部の出し入れおよびそのねじ止め作業に必要な大きさを有する開口部を設け、該開口部には下蝶番部材が固定壁に取り付けられた状態で開口部の開放部分を閉塞するキャップを着脱自在に装着したので、保管庫本体の美観を損ねることなく、開閉扉の一側縁部の下部を枢支する下蝶番部材を保管庫本体の前方から簡単に着脱することができる保管庫を提供することができる。
【図面の簡単な説明】
【図１】本発明の一実施例を示す保管庫の要部分解斜視図である。
【図２】図１に示す保管庫の一部横断面要部平面図である。
【図３】図１に示す保管庫の要部正面図である。
【図４】図１に示す保管庫の図３中４−４線に沿った縦断面図である。
【図５】従来の保管庫の開閉扉枢支構造を示す縦断面図である。
【図６】図５に示す保管庫における下蝶番部材の取付け方法を示す要部斜視図である。
【符号の説明】
２１  保管庫本体
２２  側面板
２３  底板
２４，２５  開閉扉
２６  下蝶番部材
２７  下部前面板
２８  後方折曲縁
３０  前下補強板
３１  固定壁
３２  枢支ピン
３３  取付片部
３４  ねじ通孔
３５  止めねじ
３６  通孔
３７  ナット材
３９  開口部
４０  キャップ
４１  係合穴
４２  突起片
【図１】
0003547092.tif 000002
【図２】
0003547092.tif 000003
【図３】
0003547092.tif 000004
【図４】
0003547092.tif 000005
【図５】
0003547092.tif 000006
【図６】
0003547092.tif 000007